(57)【要約】【課題】階層構造の画面遷移をたどらなくても他のコンテンツを表示させることにより操作性を向上する。【解決手段】車載器と、前記車載器と無線通信で接続された路側無線装置と、前記路側無線装置を介して前記車載器にコンテンツを配信するセンター装置とを有する配信システムであって、前記センター装置は、前記コンテンツが他の前記コンテンツに一意に割り当てられた情報コードを含むか否かを示す識別情報を配信し、前記車載器は、前記識別情報に基づいて前記コンテンツが他の前記コンテンツに一意に割り当てられた前記情報コードを含むか否かを判断する判断手段とを備える。【選択図】図１０
2009229138.tif 000002
【特許請求の範囲】
【請求項１】
車載器と、前記車載器と無線通信で接続された路側無線装置と、前記路側無線装置を介して前記車載器にコンテンツを配信するセンター装置とを有する配信システムであって、
前記センター装置は、前記コンテンツが他の前記コンテンツに一意に割り当てられた情報コードを含むか否かを示す識別情報を配信し、
前記車載器は、
前記識別情報に基づいて前記コンテンツが他の前記コンテンツに一意に割り当てられた前記情報コードを含むか否かを判断する判断手段と、
を備えることを特徴とする配信システム。
【請求項２】
前記判断手段によって前記コンテンツに含まれるか否かが判断される前記情報コードは、当該コンテンツを構成する汎用的なデータ領域に含まれる詳細情報データに格納されていることを特徴とする請求項１に記載の配信システム。
【請求項３】
コンテンツを記憶及び再生することのできる車載器と無線通信で接続される路側無線装置を介して接続されたセンター装置であって、
前記コンテンツが他の前記コンテンツに一意に割り当てられた情報コードを含むか否かを示す識別情報を配信することを特徴とするセンター装置。
【請求項４】
路側無線装置と無線通信で接続され、前記路側無線装置を介してセンター装置から配信されるコンテンツが他の前記コンテンツに一意に割り当てられた情報コードを含むか否かを識別する識別情報を受信する車載器であって、
前記識別情報に基づいて前記コンテンツが他の前記コンテンツに一意に割り当てられた前記情報コードを含むか否かを判断する判断手段を備えることを特徴とする車載器。
【請求項５】
前記判断手段によって前記コンテンツに含まれるか否かが判断される前記情報コードは、当該コンテンツを構成する汎用的なデータ領域に含まれる詳細情報データに格納されていることを特徴とする請求項４に記載の車載器。
【請求項６】
表示手段と、
前記判断手段によって前記コンテンツに含まれると判断された前記情報コードの指定を受けつけ、当該指定された情報コードに対応する前記コンテンツを前記表示手段に表示させる制御手段と、
を更に備えることを特徴とする請求項４または請求項５に記載の車載器。
【請求項７】
前記制御手段は前記判断手段によって前記情報コードを含むと判断された前記コンテンツを前記表示手段に表示させ、当該コンテンツに含まれる前記情報コードの指定を受け付けることを特徴とする請求項６に記載の車載器。
【発明の詳細な説明】
【技術分野】
【０００１】
本発明は、配信システム、センター装置、及び車載器に関する。
【背景技術】
【０００２】
従来、ナビゲーション装置のような車載器では、ＤＳＲＣ（Dedicated Short Range Communication）等を利用して路上に設置された路側無線装置と狭域無線通信を行い、当該路側無線装置を介してセンター装置から情報提供を受けることが可能となっている。すなわち、車両が路側無線装置の通信範囲内にある間のみ、車両の車載器と路側無線装置との双方向通信が可能となり、この間にセンター装置が路側無線装置を介して、地域情報（例えば周辺の店舗や医療機関の情報）や広告情報等の各種コンテンツを配信するのである。
【０００３】
また、前記車載器では、路側無線装置から配信された各種コンテンツを記憶することにより、路側無線装置と通信できず受信時にコンテンツの再生ができない環境においても当該各種コンテンツを再生することが可能になっている（特許文献１参照）。
【特許文献１】特開２００７−１０９０３２号公報
【発明の開示】
【発明が解決しようとする課題】
【０００４】
ところで、前記車載器には多くのコンテンツが配信されるため、前記車載器は多数のコンテンツを記憶することとなる。車載器においては、例えば配信される多数のコンテンツが階層構造で構成されている場合、ユーザは自己が所望するコンテンツを表示させるためには、階層構造の画面遷移を辿って当該コンテンツを表示させることが検討されている。
【０００５】
階層構造の画面遷移をさせるためには、コンテンツに対して遷移先コンテンツを特定するコードを指定しておく必要があり、当該指定されたコードをもとに階層をたどる場合、一つの階層構造の画面遷移しか実現できないことになる。
【０００６】
本発明は、上述したような課題に鑑みてなされたものであり、その目的とするところは、階層構造の画面遷移をたどらなくても他のコンテンツを表示させることにより操作性を向上することである。
【課題を解決するための手段】
【０００７】
上記課題を解決するために、請求項１に記載の発明は、
車載器と、前記車載器と無線通信で接続された路側無線装置と、前記路側無線装置を介して前記車載器にコンテンツを配信するセンター装置とを有する配信システムであって、
前記センター装置は、前記コンテンツが他の前記コンテンツに一意に割り当てられた情報コードを含むか否かを示す識別情報を配信し、
前記車載器は、
前記識別情報に基づいて前記コンテンツが他の前記コンテンツに一意に割り当てられた前記情報コードを含むか否かを判断する判断手段と、
を備えることを特徴としている。
【０００８】
請求項２に記載の発明は、請求項１に記載の発明において、
前記判断手段によって前記コンテンツに含まれるか否かが判断される前記情報コードは、当該コンテンツを構成する汎用的なデータ領域に含まれる詳細情報データに格納されていることを特徴としている。
【０００９】
請求項３に記載の発明は、
コンテンツを記憶及び再生することのできる車載器と無線通信で接続される路側無線装置を介して接続されたセンター装置であって、
前記コンテンツが他の前記コンテンツに一意に割り当てられた情報コードを含むか否かを示す識別情報を配信することを特徴としている。
【００１０】
請求項４に記載の発明は、
路側無線装置と無線通信で接続され、前記路側無線装置を介してセンター装置から配信されるコンテンツが他の前記コンテンツに一意に割り当てられた情報コードを含むか否かを識別する識別情報を受信する車載器であって、
前記識別情報に基づいて前記コンテンツが他の前記コンテンツに一意に割り当てられた前記情報コードを含むか否かを判断する判断手段を備えることを特徴としている。
【００１１】
請求項５に記載の発明は、請求項４に記載の発明において、
前記判断手段によって前記コンテンツに含まれるか否かが判断される前記情報コードは、当該コンテンツを構成する汎用的なデータ領域に含まれる詳細情報データに格納されていることを特徴としている。
【００１２】
請求項６に記載の発明は、請求項４または請求項５に記載の発明において、
表示手段と、
前記判断手段によって前記コンテンツに含まれると判断された前記情報コードの指定を受けつけ、当該指定された情報コードに対応する前記コンテンツを前記表示手段に表示させる制御手段と、
を更に備えることを特徴としている。
【００１３】
請求項７に記載の発明は、請求項６に記載の発明において、
前記制御手段は前記判断手段によって前記情報コードを含むと判断された前記コンテンツを前記表示手段に表示させ、当該コンテンツに含まれる前記情報コードの指定を受け付けることを特徴としている。
【発明の効果】
【００１４】
本発明によれば、階層構造の画面遷移をたどらなくても他のコンテンツを表示させることができるようになり、画面遷移の際の操作性を向上させることができる。
【発明を実施するための最良の形態】
【００１５】
（第１の実施の形態）
まず、構成を説明する。
図１に、本実施形態における配信システム１００を示す。
配信システム１００は、図１に示すように、車両Ｃに搭載された車載器１０、路側無線装置２０、センター装置３０を含んで構成される。センター装置３０は路側無線装置２０を介して車載器１０にコンテンツを配信する。
路側無線装置２０は路上や駐車場等に複数設置され、各路側無線装置２０はネットワークＮを介してセンター装置３０と接続されている。路側無線装置２０と、車両Ｃの車載器１０とは無線通信が可能である。
【００１６】
なお、コンテンツとは、データ形式等の詳細は後述するが、店舗の広告や駐車場、医療施設の案内等のコンテンツ（テキスト情報、画像情報、音声情報等）の他、コンテンツを提供する事業者に関する情報、コンテンツの有効期限の情報（例えば、有効期限の開始と終了の日時）、サービスを提供可能な対象地点の情報（例えば、広告している店舗の地点を示す緯度経度や店舗名等）が含まれる。例えば、位置情報を含むコンテンツであれば緯度経度情報も格納されているが、コンテンツに位置情報が含まれなければ緯度経度情報は必要がなく、当該位置情報を示すデータ領域には情報は格納されない。
他にも、コンテンツとして、当該コンテンツの通知を行うためのポップアップを行うべき再生地点（例えば、ポップアップの再生地点を示す緯度経度、ポップアップを再生する道路種別や車両の進入方向を指定する情報等）、コンテンツの表示画面の遷移情報（次に表示する画面を指定する情報等）、嗜好情報等を含む情報が格納されていてもよい。
【００１７】
以下、各構成装置について詳細に説明する。
路側無線装置２０は、図２に示すように本体装置２０ａとアンテナ２０ｂとから構成されている。路側無線装置２０は、道路脇や道路上方に設置されたアンテナ２０ｂから、到達距離が限定されたＤＳＲＣの電波を放射して、路側無線装置２０近傍に路側エリアＺを形成する。この路側エリアＺ内にある車両Ｃの車載器１０とだけ双方向狭域無線通信が可能となる。以下、路側無線装置２０と車載器１０間の狭域無線通信を路車間通信という場合がある。
【００１８】
ＤＳＲＣは５．８GHz帯域の電波を使った通信方式であり、その通信範囲は例えば数メートルから数十メートルである。路側無線装置２０からのＤＳＲＣの送信出力は何れも同じ程度に設定されているので、複数の路側無線装置２０がそれぞれ形成する路側エリアＺは設置場所に関係なく、ほぼ一定である。
【００１９】
本体装置２０ａは、車載器１０とセンター装置３０間の情報のやりとりを仲介するための処理を行う。すなわち、アンテナ２０ｂを介して車載器１０から受信された情報をセンター装置３０に転送し、センター装置３０から送信されたコンテンツを車載器１０へ転送する。本体装置２０ａは、情報処理や通信制御を行う制御部、記憶部等を備えたコンピュータ端末を適用することができる。
【００２０】
車載器１０は、車両Ｃに搭載され、案内経路への誘導のための処理等を行うナビゲーション機能の他、ＤＳＲＣによるＥＴＣ（Electronic Toll Collection System）利用のための処理を行う機能等を有している。
車載器１０は、図３に示すように、カーナビ部１、通信モジュール２、ＤＳＲＣ部３、制御部４を備えて構成されている。
【００２１】
制御部４は、制御手段として機能し、ＣＰＵ（Central Processing Unit）、ＲＡＭ（Random Access Memory）等から構成され、記憶部１ｆに記憶された制御プログラムとの協働により各種演算を行う他、各部の集中制御を行う。
例えば、路側無線装置２０との路車間通信を行う際にはＤＳＲＣ部３の通信動作を制御する。なお、ＤＳＲＣ部３の制御にあたってはＤＳＲＣ部３のＤＳＲＣ制御部３ａとの協働により制御を行う。また、ＤＳＲＣ部３を介してセンター装置３０から受信したコンテンツの保存、再生制御等を行う。
【００２２】
カーナビ部１は、カーナビ制御部１ａ、現在地検出部１ｂ、地図記憶部１ｃ、入力部１ｄ、表示部１ｅ、記憶部１ｆ等を備えて、車両Ｃを案内経路へ誘導するための処理を行う。
カーナビ制御部１ａは、現在地検出部１ｂから取得した現在地の情報及び地図記憶部１ｃに記憶された地図情報等に基づいて、車両Ｃの現在地から入力部１ｄを介して設定された目的地までの案内経路を算出する。そして、地図記憶部１ｃに記憶されている地図情報を用いて算出した案内経路へ誘導するための地図画面を生成し、表示部１ｅにより表示させる。
【００２３】
現在地検出部１ｂは、ＧＰＳアンテナ、角度センサ、方位センサ、距離センサ等の各種センサを備え、これらセンサによる検出結果に基づいて車両Ｃの現在地を検出する。ＧＰＳアンテナは、ＧＰＳ衛星から送信されるＧＰＳ信号を検出する。また、角度センサは移動方向の変化量を示す車の加速度（単位時間あたりの水平方向への回転速度）を検出し、方位センサは地磁気の検出を行い、車両の絶対方位を検出する。現在地検出部１ｂは、これらセンサから取得した各検出結果に基づいて車両の現在地を示す現在地情報（経度、緯度等の情報）を生成し、カーナビ制御部１ａに出力する。
【００２４】
地図記憶部１ｃは、メモリやＤＶＤ等の記録媒体から構成され、案内表示に必要な地図情報、通信モジュール２を介して受信されるガイド情報（道路情報、渋滞情報等）等を記憶している。
【００２５】
入力部１ｄは、操作キーや表示部１ｅと一体に構成されるタッチパネル等から構成されている。入力部１ｄは、これらの操作に対応する操作信号を生成し、制御部４に出力する。
表示部１ｅは、表示手段として機能し、モニタを備え、制御部４の制御に従ってモニタ上に各種情報を表示する。例えば、設定画面や地図画面、センター装置３０から受信したコンテンツの表示画面等である。
【００２６】
記憶部１ｆは、メモリ等から構成され、制御部４やカーナビ制御部１ａにより実行される制御プログラム、プログラムの実行に必要なパラメータやデータ等を記憶している。
また、記憶部１ｆは、センター装置３０に提供するアップリンク情報を記憶するとともに、センター装置３０から受信したコンテンツを記憶する。ユーザがコンテンツの配信について契約をした配信事業者（以下、正規の配信事業者という。）が複数ある場合には、アップリンク情報は各配信事業者に応じた内容で制御部４によりそれぞれ生成され、記憶部１ｆに記憶される。アップリンク情報は最新の内容となるように制御部４が常に更新を行って記憶部１ｆに保存させる。アップリンク情報の詳細については後述する。
【００２７】
通信モジュール２は、光通信用、ＦＭ通信用、２．４GHz電波通信用のアンテナをそれぞれ備え、通信センターと光通信、ＦＭ通信、電波通信を行う。通信モジュール２は通信センターから渋滞情報や道路交通情報等を受信し、制御部４に出力する。通信センターとしてはＶＩＣＳセンター等を挙げることができるが、これに限らず、また、通信センターから受信する情報としては、渋滞情報や道路交通情報に限らない。
なお、通信モジュール２は他にもＷｉＭａｘ（Worldwide Interoperability for Microwave Access）等のＤＳＲＣ以外の通信手段を使用することにより、インターネット等の情報を入手することもできる。
【００２８】
ＤＳＲＣ部３は、ＤＳＲＣによるＥＴＣ利用のための処理や、センター装置３０からコンテンツを受信するための通信処理等を行う。
ＤＳＲＣ部３は、図３に示すようにＤＳＲＣ制御部３ａ、通信部３ｂ、記憶部３ｃ、ＥＴＣ処理部３ｅ、ＩＣカードＩ／Ｆ３ｆを備えて構成されている。
【００２９】
ＤＳＲＣ制御部３ａは、ＣＰＵ、ＲＡＭ等から構成され、記憶部３ｃに記憶されている制御プログラムとの協働によりＤＳＲＣ部３の各部の動作を制御する。
例えば、ＥＴＣによる決済を行う際には、通信部３ｂの通信動作を制御してＥＴＣ基地局（ＥＴＣ決済を行うためにＥＴＣゲート付近等に設けられる無線基地局）と決済情報の送受信を行わせる。また、ＥＴＣ処理部３ｅにより決済情報の書込処理を行わせる。
また、センター装置３０からコンテンツを受信する際には、制御部４の指示に従って記憶部３ｃのアップリンク情報記憶領域Ｍに記憶されている情報を、通信部３ｂにより路側無線装置２０に送信させる一方、通信部３ｂにより路側無線装置２０を介してコンテンツを受信した場合にはこれを制御部４に出力する。
【００３０】
通信部３ｂは、例えば車両Ｃのダッシュボード上でフロントガラス近傍等の位置に固設されたアンテナを備え、このアンテナを介して路側無線装置２０やＥＴＣ基地局等と、ＤＳＲＣの電波の送受信を行う。
【００３１】
記憶部３ｃは、ＤＳＲＣ制御部３ａにより実行される制御プログラム等を記憶している。
また、記憶部３ｃにはアップリンク情報記憶領域Ｍが設けられている。アップリンク情報記憶領域Ｍは、センター装置３０に対してユーザが欲する情報を提供するためのアップリンク情報専用に設けられた記憶領域であり、アップリンク情報の他、車載器１０の特性情報が記憶される。
【００３２】
アップリンク情報とは、センター装置３０においてどのような内容のコンテンツを配信するかを決定する際に用いられる情報である。アップリンク情報は、サービス事業者ごとに作成され、車両Ｃが立寄った地点や、車載器１０のユーザの嗜好情報、次回来店時の特典等を個別に配信するなどの多目的な情報を扱うための会員情報等が含まれる。サービス事業者は、これらの情報をもとに車載器１０に配信するコンテンツを決定することとなる。
【００３３】
特性情報とは、車載器１０の機器特性に関する情報をいう。特性情報には、車載器１０の車載器ＩＤ、車載器１０が対応できる言語、地図の測地系、車載器１０が対応できる著作権管理技術、表示部１ｅのディスプレイの解像度、ＳＶＧ（Scalable Vector Graphics）の対応性、コンテンツを蓄積可能な記憶容量等の情報が含まれる。なお、車載器ＩＤは各車載器１０に固有の識別情報である。
【００３４】
ＥＴＣ処理部３ｅは、ＩＣカードＩ／Ｆ３ｆに挿抜されるＩＣ付きクレジットカード又はデビットカード等に対して決済情報等の読み書きを行う。
ＩＣカードＩ／Ｆ３ｆは、上記クレジットカード等のスロットを備え、このスロットに挿入されたクレジットカード等のＩＣとＥＴＣ処理部３ｅの間で情報のやりとりを仲介する。
【００３５】
次に、センター装置３０について説明する。
センター装置３０は、コンテンツを記憶し、これを路側無線装置２０を介して車載器１０に配信する。
なお、図１では１台のセンター装置３０のみ示したが、コンテンツを配信する配信事業者は複数あり、センター装置３０は配信事業者毎に備えられるものである。また、図１ではセンター装置３０がネットワークＮを介して路側無線装置２０と接続されている例を示したが、センター装置３０の一部の機能を路側無線装置２０が所有していてもよい。この場合、複数の路側無線装置２０が保持するセンター装置３０の機能を管理するサーバとしてのセンター装置３０が存在し、当該サーバとしての役割を果たすセンター装置３０がネットワークＮを介して路側無線装置２０と接続されていてもよい。
【００３６】
図４に、センター装置３０の機能的構成を示す。
図４に示すように、センター装置３０は制御部３１、入力部３２、表示部３３、記憶部３４、通信部３５を備えて構成されている。
【００３７】
制御部３１は、ＣＰＵ、ＲＡＭ等から構成され、記憶部３４に記憶された制御プログラムとの協働により各種演算を行う他、各部の集中制御を行う。
例えば、制御部３１は記憶部３４に保存されているコンテンツを読み出して編成したり、編成したコンテンツの配信制御を行う。なお、編成とは配信するコンテンツを選択し、選択したコンテンツを図５及び図６に示す配信用のフォーマットに合わせてデータを構築することを言う。
【００３８】
入力部３２は、キーボード等を備えて操作入力を受け付け、当該操作入力に応じた操作信号を制御部３１に出力する。
表示部３３はディスプレイを備え、制御部３１の表示制御に従ってディスプレイ上に各種画面を表示する。
【００３９】
記憶部３４は、制御部３１により実行されるプログラムの他、プログラムの実行に必要な各種データを記憶する。また、記憶部３４は配信すべきコンテンツを記憶している。コンテンツは複数の項目に分類されている。以下、コンテンツの詳細について説明する。
【００４０】
図５は、センター装置３０から配信されるコンテンツのデータ構造の一例について示す説明図である。図５に示すように、センター装置３０からは一時に複数の情報グループが配信され、車載器１０では複数の情報グループを受信して、再生又は記憶部１ｆに蓄積することとなる。
ここで、図５における情報グループ１、２、・・ｎのそれぞれが１つのコンテンツであり、車載器１０においてはコンテンツを単位として再生処理が行われる。
【００４１】
図５に示すように、１つのコンテンツは、内容により分類された複数の要素で構成される。各構成要素はＩＤ番号（００、０１、・・等）と当該ＩＤ番号に対応して格納される実データからなる。図５において、情報グループ１を構成するコンテンツには、ＩＤ００（ＩＤ番号が“００”であることを示す、以下同じ）、ＩＤ０１、ＩＤ０２、ＩＤ０３、ＩＤ０４、ＩＤ０５、ＩＤ１０、ＩＤ３０で規定される情報が含まれていることを示している。
【００４２】
図６に、コンテンツのフォーマットの一例を示す。
図６に示すように、コンテンツには、個々にＩＤが付された情報、例えばＩＤ構成情報、事業者、コンテンツ、有効期限、提供時間、対象地点、情報提供地点、遷移情報、詳細情報、嗜好データ等が含まれている。
【００４３】
ＩＤ００のＩＤ構成情報は、コンテンツに含まれる各情報の識別番号の一覧を示す情報である。このＩＤ構成情報中の各情報の識別番号の有無を確認することにより、当該各情報が存在するか否かを即時に判断することが出来る。
【００４４】
識別番号は、コンテンツに含まれる各情報の分類を示す。
また、識別番号は、ＩＤ００〜ＩＤ２５５まで割り振られており、例えばＩＤ１０は対象地点、ＩＤ４０は詳細情報であることを示す。
なお、コンテンツに含まれる各ＩＤに対応する情報にはヘッダ情報（図示せず）が含まれており、各ＩＤに含まれている情報量を示す情報バイト等、各ＩＤに対応する内容を示す情報やフラグ等がヘッダ情報として格納されている。
以下、識別番号に対応する各情報について説明する。
【００４５】
ＩＤ０１の事業者は、サービス事業者を特定するための情報であり、例えばサービス事業者に一意に付与されたサービス事業者コード等である。
ＩＤ０２、ＩＤ０３のコンテンツはコンテンツに関する詳細な情報であり、例えば当該コンテンツの情報提供元を特定することのできる企業コード、サービス事業者がコンテンツに対し個別に割り付けた情報コード、コンテンツの内容を示すための情報表示用テキスト、コンテンツが属する嗜好データのカテゴリ、再生を即時に行うか蓄積するかを示す即時／蓄積コード等である。
他にも、企業コードに対応する企業を通知するテキスト等をＩＤ０２のコンテンツとして格納してもよい。
【００４６】
情報コードは先述の通り、コンテンツに割り当てられたコードであり、コンテンツを識別することができる。また、本実施の形態における配信システム１００では、配信済みのコンテンツと同様のコンテンツをセンター装置３０が送信する場合は、基本的に同一の情報コードを使用する。つまり、あるコンテンツの内容が新しく更新された場合は、同一の情報コードを付して当該更新されたコンテンツを車載器１０に対して配信することにより、車載器１０では、古いコンテンツに対して新たなコンテンツを上書きすることができる。例えば、車載器１０が１月２０日にある場所でコンテンツを受信し、その中に有効期限（ＩＤ４０の有効期限を示す）が２月１日となっているコンテンツの情報コードが「０２５」であったとする。その後、２月２０日にある場所で当該車載器１０がコンテンツを受信し、その中に有効期限が３月１日であり、先に１月２０日に受信した内容と同様のコンテンツを受信したとすれば、センター装置３０は同一の情報コードである「０２５」を付与して配信することになる。
【００４７】
ＩＤ０４の有効期限はコンテンツの再生についての有効期限を示す情報であり、有効期限の開始時期及び終了時期を示す日時で表される。
ＩＤ０５の提供時間は後述する対象地点においてサービスを提供できる営業時間等の情報である。
【００４８】
ＩＤ１０の対象地点とはサービスの提供を行う店舗や施設等をいい、対象地点の情報としては、例えば対象地点の位置を示す対象地点座標（緯度経度）が含まれる。対象地点座標が存在しないコンテンツの場合は、画面遷移のための説明の情報が格納されていてもよい。
対象地点座標が存在するコンテンツの場合は、他にも対象地点の位置を示す対象地点座標（緯度経度）、対象地点名称等を示す対象地点表示用テキスト、例えば対象地点の説明等に係るコンテンツであるテキスト、画像、音声等や、対象地点の情報をＩＰ通信により提供する際のＵＲＬ、対象地点を地図上に表示する際に使用されるアイコン画像、提携駐車場情報等からなる。なお、対象地点が存在しないコンテンツの場合は、画面遷移のための説明の情報が格納されていてもよい。
【００４９】
ＩＤ２０の情報提供地点の情報はコンテンツを再生させたい情報提供エリアに関する情報である。蓄積されたコンテンツについては、情報提供エリア内にある道路である方向から車両Ｃが進入した際にコンテンツがあることを通知するポップアップ通知を行い、そこで再生の指示がなされるとコンテンツの再生を行う。ＩＤ２０の情報提供地点は、このときのポップアップ通知やコンテンツ再生等を行う際の条件を指定する情報である。例えば、情報提供エリアの中心座標（緯度経度）、半径、車両Ｃの進入方向を示す方向コード、道路種別、ポップアップ通知用の表示画像、音声等からなる。つまり、実際にポップアップされてユーザに通知される内容はＩＤ２０の表示画像や音声等のデータである。
【００５０】
ＩＤ３０の遷移情報は、各コンテンツの画像を遷移させて表示する場合に用いる情報である。遷移情報は、例えば次の遷移先の情報コードを示す次再生情報コード等からなる。ＩＤ３０の情報はＩＤ１０の対象地点情報と関連する。詳細は以下説明する。
【００５１】
図７を用いて、ＩＤ１０、ＩＤ３０の情報について説明する。図７に示す各画面Ｃ１、Ｃ２、Ｄ１〜Ｄ６において、Ｃ１及びＣ２は車載器１０側で保持している画面であり、Ｄ１〜Ｄ６は、配信されたコンテンツに基づいて車載器１０において表示される画面遷移例である。ここでは、１つのコンテンツは１つの画面に対応する。画面Ｄ１〜Ｄ６は、コンテンツのＩＤ３０の次再生情報コードが参照されることにより画面遷移する。
画面Ｃ１は、メニュー画面であり遷移先が３つある。画面Ｃ１において「entertainment」が選択されると、サービス事業者（配信事業者）の一覧を示す画面Ｃ２に遷移する。画面Ｃ２には遷移先が４つある。画面Ｃ２において１つの配信事業者が選択されると、選択された配信事業者のコンテンツを示す画面Ｄ１に遷移する。
【００５２】
画面Ｄ１には遷移先が４つある。つまり、画面Ｄ１に対応するコンテンツにはＩＤ３０の次再生情報コードが４つ格納されていることになる。画面Ｄ１において「くらし情報」が選択されると、「くらし情報」に対応する次再生情報コードが参照され、当該次再生情報コードとＩＤ０２の情報コードが一致するコンテンツである画面Ｄ２に遷移する。以下の画面遷移においても同様に、ＩＤ３０の次再生情報コードと一致するＩＤ０２の情報コードをもつコンテンツが表示されるよう、処理が行われることになる。
画面Ｄ２には遷移先が３つある。画面Ｄ２において「医療・病院」が選択されると、医療・病院の一覧を示す画面Ｄ３に遷移する。画面Ｄ３には遷移先が２つある。画面Ｄ３において「休日診療病院一覧」が選択されると、休日診療病院の一覧を示す画面Ｄ４に遷移する。画面Ｄ４には遷移先が７つある。画面Ｄ４において「小児科」が選択されると、小児科の病院一覧を示す画面Ｄ５に遷移する。画面Ｄ５には遷移先が４つある。画面Ｄ５において１つの小児科病院が選択されると、選択された小児科病院の情報を示す画面Ｄ６に遷移する。画面Ｄ６には遷移先がない（つまりＩＤ３０の次再生情報コードにはデータがない）が、ＩＤ１０の対象地点情報がある。  
【００５３】
ＩＤ４０の詳細情報は、当該コンテンツに関する詳細な情報が格納され、汎用的な利用をすることができる。
コピーコントロールフラグは、車載器１０がコンテンツを受信した際に詳細情報データをアップリンク情報の会員情報に書き込むか否かを示すフラグである。コピーコントロールフラグがオン（値が「１」の場合）の場合には、ＩＤ４０の詳細情報データをアップリンク情報の会員情報に書き込み、コピーコントロールフラグがオフ（値が「０」の場合）の場合には、ＩＤ４０の詳細情報データをアップリンク情報の会員情報に書き込まないよう制御されることになる。
したがって、コピーコントロールフラグがオンになっている場合は、詳細情報データには会員情報が格納されていることになるので、上記の例では情報内容フラグは「２」の値をとることになる。
【００５４】
情報内容フラグは、詳細情報データの内容の種別を示すための識別情報である。本実施の形態においては、情報内容フラグが「０」の場合は詳細情報データに情報コードが格納されていることを示し、「１」の場合は詳細情報データに串刺し検索コードが格納されていることを示す。串刺し検索コードとは、当該コンテンツの種類を識別するためのコードである。例えば、サービス事業者が、串刺し検索コードが「００００１」であれば、当該コンテンツはクーポンの情報であることを示し、「００００２」であれば当該コンテンツは新着情報であること等を示すことを設定すれば、車載器１０はその串刺し検索コードを用いてコンテンツを検索することが可能である。情報内容フラグが「２」の場合は詳細情報データに会員情報が格納されていることを示す。
【００５５】
詳細情報データは、情報コード、串刺し検索コード、会員情報等が格納される。他にも、当該コンテンツの内容の説明をするためのテキスト情報等が格納されてもよい。
表示用文字データは、サービス対象地点や画面遷移の案内を行う情報や、検索のための検索用語等、表示部１ｅに表示させてユーザを補助するための情報である。表音文字列は音声によってユーザに伝達するための情報を格納している。
なお、表示用文字データや表音文字列は、通常詳細情報データに関連するものである。
【００５６】
図８に、ＩＤ４０の詳細情報のデータ形式を詳細に示す。
本実施の形態においては、図８に示すように１つのコンテンツにつき、ＩＤ４０の詳細情報を８つまで格納することができる。つまり、ＩＤ４０に対応するデータ領域には、図８に示す詳細情報１〜８が格納されており、使用しない詳細情報にはデータは格納されない。例えば、ＩＤ４０の詳細情報のうち、詳細情報１〜３のみ使用したい場合には詳細情報４〜８にはデータは格納しないことになる。
【００５７】
ＩＤ８０の嗜好データは、配信するコンテンツの選択のために用いられる情報である。嗜好データは、例えば嗜好情報のバージョン、そのバージョンで定められているカテゴリの名称を示す表示用テキスト、表音文字列、カテゴリの詳細情報等からなる。
【００５８】
コンテンツは上記各ＩＤの情報を含めて予め作成されたものを記憶部３４に保存しておき、配信時には、これらのコンテンツのうち配信するコンテンツを制御部３１が選択する。なお、各ＩＤの情報は必要に応じてコンテンツに含められ、常に全てのＩＤの情報がコンテンツに含まれているわけではない。例えば、対象地点において提携指定されている提携駐車場が無ければ、ＩＤ１０の対象地点に提携駐車場情報は含まれないことになる。
【００５９】
次に、動作について説明する。
図９に、コンテンツを配信する際におけるセンター装置３０、路側無線装置２０、車載器１０の各装置における処理の流れを示す。
図９に示すように、まず車両Ｃのエンジンが起動し、車載器１０の電源が投入されると（ステップＳ１）、車載器１０の特性情報を生成し、記憶部３ｃのアップリンク情報記憶領域Ｍに書き込まれる（ステップＳ２）。特性情報は、予めセンター装置３０との間で取り決められている項目について制御部４が表示部１ｅ等の各部に問い合わせて取得したり、予め記憶部１ｆに記憶されている情報を読み出す等して取得する。そして、取得された情報を制御部４がコード化し、アップリンク情報記憶領域Ｍの対応する領域に当該コードが書き込まれる。なお、実際には書込を指示する制御情報がＤＳＲＣ制御部３ａに出力され、このＤＳＲＣ制御部３ａがアップリンク情報記憶領域Ｍに書き込まれる。
【００６０】
その後、車両Ｃが走行を開始し、路側無線装置２０の路側エリアＺに進入すると（エリアイン）、路側無線装置２０は車両Ｃを検出し、車載器１０のＤＳＲＣ部３とＤＳＲＣ通信による接続処理が開始される（ステップＳ３ａ、Ｓ３ｂ）。すなわち、ＤＳＲＣの電波が送出され、車載器１０からの応答が得られると、通信路が確立される。通信路が確立されると、路側無線装置２０はセンター装置３０に対し接続が完了した旨の通知情報が送信される（ステップＳ４ａ）。一方、車載器１０のＤＳＲＣ部３から制御部４に対し接続が完了した旨の通知情報が出力される（ステップＳ４ｂ）。なお、ＤＳＲＣ接続時には、車載器１０の記憶部３ｃ等に記憶されている車載器１０を識別するための車載器ＩＤがセンター装置３０に対して送信されている。
【００６１】
次いで、路側無線装置２０から車載器１０のＤＳＲＣ部３に対し、特性情報の送信要求が行われると、ＤＳＲＣ部３から記憶部３ｃに書き込まれている特性情報が路側無線装置２０に送信される（ステップＳ５）。特性情報は路側無線装置２０を介してセンター装置３０に送信される。
センター装置３０では、ＤＳＲＣ接続時に取得される車載器ＩＤ等をもとに、車載器１０のユーザが配信サービスの会員か否かが判断される（ステップＳ６）。
【００６２】
記憶部３４に記憶されている配信サービスの全会員の車載器ＩＤのうち、受信した車載器ＩＤと一致するものがなく、非会員であると判断されると（ステップＳ６；Ｎ）、非会員用のコンテンツが路側無線装置２０を介して車載器１０に送信される（ステップＳ６１）。その後、図１０に示すステップＳ１６の処理に移行する。なお、非会員用のコンテンツとは、電車の遅延情報、納税通知情報等の公共の広告情報や、入会を促す情報や迷惑（スパム）とは成り得ない程度の民間の広告情報等の一般向けの内容の情報である。車載器１０では、配信された当該コンテンツは保存又は再生される（ステップＳ１１）。保存されたコンテンツは所定のタイミングで再生されることとなる。
一方、一致する車載器ＩＤがあれば会員であると判断され（ステップＳ６；Ｙ）、配信事業者のサービス事業者コードの通知情報が路側無線装置２０に送信される（ステップＳ７）。なお、ステップＳ７においては、サービス事業者コードと共に他の情報（例えば、Ｗｅｌｃｏｍｅ画面を表示部１ｅに表示させるためにＩＤ１０を配信する等）のコンテンツを含むようにしても良い。
【００６３】
路側無線装置２０を介してサービス事業者コードの通知情報が受信されると、記憶部１ｆに記憶されているアップリンク情報に含まれるサービス事業者コードと、通知されたサービス事業者コードとが照合される（ステップＳ８）。一致するサービス事業者コードがない場合（ステップＳ８；Ｎ）、処理は何もされずエリアアウトを待つ。
【００６４】
一致するサービス事業者コードがある場合（ステップＳ８；Ｙ）、受信されたサービス事業者コードの配信事業者は正規の配信事業者であると判断され、当該サービス事業者コードに対応するアップリンク情報が記憶部１ｆから読み出され、アップリンク情報記憶領域Ｍに書き込まれる（ステップＳ９）。前述のようにアップリンク情報は各配信事業者に応じて生成され、更新が行われているので、配信事業者に応じた最新の内容となっている。
【００６５】
一方、センター装置３０によってデフォルトのコンテンツが路側無線装置２０を介して車載器１０に配信される（ステップＳ１０）。デフォルトのコンテンツとは、主に公共の広告情報等のスパムとならない内容の情報である。車載器１０では、配信された当該コンテンツが保存もしくは再生されることになる（ステップＳ１１）。具体的には、受信したコンテンツのＩＤ０３の即時／蓄積コードが蓄積を示していれば、当該コンテンツであれば記憶部１ｆに保存され、ＩＤ０３の即時／蓄積コードが即時を示していれば、当該コンテンツは受信後所定のタイミングで再生されることになる。
また、センター装置３０では車載器１０に対し、アップリンク情報記憶領域Ｍに書き込まれたアップリンク情報の送信を要求する（ステップＳ１２）。以降は、車載器がエリアアウトするまで（車載器との無線通信が途切れるまで）、センター装置３０は車載器１０に対し、定期的にアップリンク情報のポーリングを行う。
【００６６】
ＤＳＲＣ部３は、アップリンク情報の書込が行われると、センター装置３０からのポーリングに応じて、アップリンク情報記憶領域Ｍに記憶されているアップリンク情報が、路側無線装置２０を介してセンター装置３０に送信される（ステップＳ１３）。
【００６７】
以降の処理については、図１０を参照して説明する。
図１０に示すように、センター装置３０では、送信されたアップリンク情報より会員の趣向に適したコンテンツが編成され、当該コンテンツが車載器１０に配信される（ステップＳ１４）。車載器１０では、配信された当該コンテンツは保存又は再生される（ステップＳ１５）。
【００６８】
その後、センター装置３０が配信すべきコンテンツが全て配信されると、配信終了を通知するメッセージ情報が生成され、車載器１０に対して送信され（ステップＳ１６）、処理は終了する。なお、メッセージ情報の送信と共に、ユーザに対しエリアアウトを促しても良い。
【００６９】
このように、センター装置３０から配信されたコンテンツは車載器１０の記憶部１ｆに保存もしくは所定のタイミングで再生されることになる。
図１１（ａ）に、本実施の形態におけるコンテンツ表示画面Ｇ１の一例を示す。コンテンツ表示画面Ｇ１はコンテンツを再生させた際に表示部１ｅに表示される画面であり、画面遷移表示欄Ｇａ１〜Ｇａ８、画面遷移入力欄Ｇｂ１〜Ｇｂ８、詳細情報ボタンＧｃ等から構成される。
【００７０】
コンテンツ表示画面Ｇ１においては、コンテンツ表示画面Ｇ１に表示されているコンテンツから画面遷移することができるコンテンツの情報が表示される。具体的には、コンテンツ表示画面Ｇ１は、当該コンテンツのＩＤ１０の対象地点に格納された静止画データが表示され、当該静止画データに重畳して画面遷移入力欄Ｇｂ１〜Ｇｂ８、詳細情報ボタンＧｃが車載器１０の制御部４によって描画され、表示されることになる。つまり、画面遷移表示欄Ｇａ１〜Ｇａ８はＩＤ１０の対象地点に格納されている静止画データの一部であり、当該コンテンツからの画面遷移先のコンテンツに関する情報を示している。
画面遷移入力欄Ｇｂ１〜Ｇｂ８は、ＩＤ３０の遷移情報に遷移情報が格納されている場合に、当該遷移情報より車載器１０によって生成されるボタンである。図１１（ａ）に示す例では、表示されているコンテンツの遷移情報が４つある例を示している。具体的には、画面遷移表示欄Ｇａ１〜Ｇａ８はそれぞれＩＤ３０の次再生情報コードと対応していることになる。例えば、入力部１ｄから画面遷移表示欄Ｇｂ１を選択すると、画面遷移表示欄Ｇａ１に対応する次再生情報コードのコンテンツに遷移することになる。
詳細情報ボタンＧｃは、後述する詳細情報表示処理によって車載器１０によって描画されるボタンである。
【００７１】
次に、車載器１０において行われる詳細情報表示処理について説明する。
図１２に、本実施の形態における詳細情報表示処理を示す。当該処理は、コンテンツ表示の指示が入力部１ｄから選択された際に、制御部４と記憶部１ｆに記憶されているプログラムとの協働によるソフトウエア処理により実現される。
詳細情報表示処理では、コンテンツ表示画面Ｇ１に表示されているコンテンツのＩＤ４０の情報内容フラグが参照され、ＩＤ４０の詳細情報データに情報コードが格納されていると判断された場合、詳細情報ボタンＧｃを描画し、当該詳細情報ボタンＧｃが選択された際には、当該情報コードに対応するコンテンツに画面遷移させるためのボタンを表示させる。
なお、当該処理により、制御部４は判断手段として機能する。
【００７２】
図１２に示すように、コンテンツ表示画面Ｇ１に表示されているコンテンツにＩＤ４０の詳細情報が含まれており、当該ＩＤ４０の情報内容フラグが情報コードを示しているか否かが判断される（ステップＳ１２０１）。具体的には、ＩＤ４０の詳細情報が含まれているコンテンツの詳細情報１〜８のいずれかの情報内容フラグが情報コードを示しているか否かによって判断される。なお、ステップＳ１２０１ではさらに情報内容フラグが情報コードを示している詳細情報データに格納された情報コードと対応するコンテンツが記憶部１ｆに記憶されているか否かが判断されてもよい。つまり、詳細情報データに格納された情報コードと対応するコンテンツが記憶部１ｆに記憶されていない場合は、後述するステップＳ１２０２によって詳細情報ボタンＧｃが描画されないことになる。
コンテンツ表示画面Ｇ１に表示されているコンテンツにＩＤ４０の詳細情報が含まれていないと判断された場合（ステップＳ１２０１；ＮＯ）、処理は終了する。
【００７３】
コンテンツ表示画面Ｇ１に表示されているコンテンツにＩＤ４０の詳細情報が含まれていると判断された場合（ステップＳ１２０１；ＹＥＳ）、コンテンツ表示画面Ｇ１に詳細情報ボタンＧｃが描画される（ステップＳ１２０２）。次いで、コンテンツ表示画面Ｇ１に描画された詳細情報ボタンＧｃが入力部１ｄより選択されたか否かが判断される（ステップＳ１２０３）。詳細情報ボタンＧｃが入力部１ｄより選択されたと判断されない場合（ステップＳ１２０３；ＮＯ）、再びステップＳ１２０３に戻り、入力が待ち受けられることになる。
【００７４】
詳細情報ボタンＧｃが入力部１ｄより選択されたと判断された場合（ステップＳ１２０３；ＹＥＳ）、表示部１ｅにおいては、コンテンツ表示画面Ｇ１から後述する詳細情報表示画面Ｇ２に画面遷移し、カウンタ変数Ｎに１が代入される（ステップＳ１２０４）。次いで、ＩＤ４０の詳細情報Ｎ（図８に示す詳細情報１〜８のうちのいずれかを示す。以下同じ。）にデータが格納されているか否かが判断される（ステップＳ１２０５）。ＩＤ４０の詳細情報Ｎにデータが格納されていると判断された場合（ステップＳ１２０５；ＹＥＳ）、当該詳細情報Ｎの情報内容フラグが参照され、当該情報内容フラグが情報コードを示しているか否かが判断される（ステップＳ１２０６）。情報内容フラグが情報コードを示していると判断された場合（ステップＳ１２０６；ＹＥＳ）、当該詳細情報Ｎの詳細情報データに格納された情報コードに対応する遷移先のコンテンツが存在するか否かが判断される（ステップＳ１２０７）。具体的には、記憶部１ｆに保存されているコンテンツのＩＤ０２の情報コードが検索され、一致したコンテンツが存在するか否かによって判断が行われる。
【００７５】
詳細情報Ｎの詳細情報データに格納された情報コードに対応する遷移先のコンテンツが存在すると判断された場合（ステップＳ１２０７；ＹＥＳ）、詳細情報表示画面Ｇ２のＮ行に詳細情報Ｎの表示用文字データでボタンが描画される（ステップＳ１２０８）。なお、ステップＳ１２０８においては、ステップＳ１２０７で判断された情報コードに対応するコンテンツのＩＤ０２の情報表示用テキストが詳細情報表示画面Ｇ２のＮ行に表示されることになる。
【００７６】
図１１（ｂ）に、詳細情報表示処理によって詳細情報が表示された時の詳細情報表示画面Ｇ２の一例を示す。詳細情報表示画面Ｇ２は画面遷移ボタンＧｄ１〜Ｇｄ８、「戻る」ボタンＧｅ等から構成される。
画面遷移ボタンＧｄ１〜Ｇｄ８は、詳細情報表示処理のステップＳ１２０６において車載器１０の制御部４によって描画されたボタンである。図１１（ｂ）に示す例では、コンテンツ表示画面Ｇ１に表示されているコンテンツのＩＤ４０の詳細情報１〜３の情報内容フラグの値が「情報コード」を示しており、詳細情報データに情報コードが格納されている場合を示している。詳細情報４〜８の情報内容フラグの値は「情報コード」を示しておらず、詳細情報データには情報コードが格納されていないので、画面遷移ボタンＧｄ４〜Ｇｄ８の領域にはボタンは表示されない。画面遷移ボタンＧｄ１〜Ｇｄ３は、詳細情報１〜３に格納された表示用文字データが表示され、同行に当該情報コードに対応するコンテンツのＩＤ０２の情報表示用テキストが表示されることになる。なお、ステップＳ１２０８又はステップＳ１２０９において処理が行われるＮ行は画面遷移ボタンＧｄ１〜Ｇｄ８の行に対応する。つまりＮが３の場合は、ステップＳ１２０８において画面遷移ボタンＧｄ３を描画する処理となる。
「戻る」ボタンは、コンテンツ表示画面Ｇ１に画面遷移するためのボタンであり、詳細情報表示画面Ｇ２を表示する時に制御部４が生成する。
【００７７】
例えば、図１１（ｂ）に示す詳細情報表示画面Ｇ２の画面遷移ボタンＧｄ１を押下すると詳細情報１の詳細情報データに格納されている情報コードに対応するコンテンツに画面遷移することになる。
画面遷移ボタンＧｄ４〜Ｇｄ８にはボタンが表示されないため詳細情報４〜８の詳細情報データに格納されている情報コードに対応するコンテンツが記憶部１ｆに存在しないことを示しており、画面遷移ボタンＧｄ４〜Ｇｄ８に対する入力部１ｄからの入力は受け付けない。
【００７８】
詳細情報Ｎの詳細情報データに格納された情報コードに対応する遷移先のコンテンツが存在しないと判断された場合（ステップＳ１２０７；ＮＯ）、表示部１ｅのＮ行のボタンがグレーアウトして表示される（ステップＳ１２０９）。当該グレーアウトして表示されたボタンに対する入力部１ｄからの入力は受け付けられないこととなる。遷移先のコンテンツが存在しない場合は、「エラー」や「リンク先無し」等の文字を詳細情報表示画面Ｇ２に表示させてもよい。
【００７９】
一方、詳細情報Ｎにデータが格納されていないと判断された場合（ステップＳ１２０５；ＮＯ）、情報内容フラグが情報コードを示していると判断されない場合（ステップＳ１２０６；ＮＯ）、処理はステップＳ１２１０に移行する。
次いでカウンタ変数Ｎが加算され（ステップＳ１２１０）、当該カウンタ変数Ｎが８よりも大きいか否かが判断される（ステップＳ１２１１）。カウンタ変数Ｎが８よりも大きくないと判断された場合（ステップＳ１２１１；ＮＯ）、ステップＳ１２０５に戻る。カウンタ変数Ｎが８よりも大きいと判断された場合（ステップＳ１２１１；ＹＥＳ）、処理は終了する。
【００８０】
以上のように、本実施の形態における配信システム１００によれば、ＩＤ４０の情報内容フラグを参照することにより、ＩＤ４０の詳細情報データに何の情報が格納されているかを判断することができる。ＩＤ４０の詳細情報データに情報コードが格納されていると判断された場合には、詳細情報表示処理によって、詳細情報表示画面Ｇ２にＩＤ４０の表示用文字データの内容が画面遷移ボタンに重畳して表示される。したがって、ユーザは図７に示すような階層構造の画面遷移を辿ることなく、コンテンツを表示させることができ、操作性が向上する。
【００８１】
また、ＩＤ４０の詳細情報データに格納された情報コードを参照することにより、所望するコンテンツを表示させることができるので、メインとなる階層構造を崩すことなく、所定のコンテンツに応じた階層構造を作成することができる。例えば、期間限定のコンテンツを配信する時に、コンテンツのＩＤ３０の次再生情報コードを変更させず、つまりメインとなる階層構造を崩すことなく、他の期間限定のコンテンツへの画面遷移を行うことが可能になる。
【００８２】
また、詳細情報表示処理においては、ＩＤ４０の詳細情報データに格納された情報コードが存在しない場合に、詳細情報表示画面Ｇ２の画面遷移ボタンをグレーアウトして表示させる等の処理で、当該画面遷移ボタンへの入力を受け付けなくすることで、存在しないコンテンツへの画面遷移の入力指示を防止することができる。
【００８３】
なお、本実施の形態においては、情報内容フラグを参照することによって詳細情報データに情報コードが格納されているか否かを判別するようにしたが、判別の方法はこれに限られない。例えば、ＩＤ４０の詳細情報データのデータ領域のうち、予め定められた領域に当該詳細情報に何の情報が格納されているかを示すコード等が格納されるようにしてもよい。
【００８４】
なお、本実施の形態においては、ＩＤ４０の情報内容フラグを参照することによって、ＩＤ４０の詳細情報データに情報コードが格納されているか否かを判断したが、情報内容フラグによって他のＩＤのデータ領域に情報コードが格納されているかが判断されるようにしてもよい。例えば、ＩＤ１０のテキスト等に情報コードが格納されていることを情報内容フラグが示していてもよい。
【００８５】
その他、本発明が上記実施形態に限定されず、適宜変更可能であるのは勿論である。
【００８６】
（第２の実施の形態）
次に図１３及び図１４を参照しつつ、本発明に係る配信システム１００の第２の実施の形態について説明する。なお、第２の実施の形態は、詳細情報表示処理のみが第１の実施の形態と異なるものであるため、以下においては、特に第１の実施の形態と異なる点について説明する。
【００８７】
図１３に第２の実施の形態における詳細情報表示処理（以下、第１の実施の形態と区別するために詳細情報表示処理Ｂという）を示す。当該処理は、コンテンツ表示の指示が入力部１ｄから選択された際に、制御部４と記憶部１ｆに記憶されているプログラムとの協働によるソフトウエア処理により実現される。
詳細情報表示処理では、コンテンツ表示の指示がされたコンテンツのＩＤ４０の情報内容フラグが参照され、ＩＤ４０の詳細情報データに情報コードが格納されていると判断された場合、表示部１ｅに当該情報コードに対応するコンテンツに画面遷移させるためのボタンを表示させる。
なお、当該処理により、制御部４は判断手段として機能する。
【００８８】
図１３に示すように、コンテンツ表示指示がされたコンテンツにＩＤ４０の詳細情報が含まれているか否かが判断される（ステップＳ１３０１）。当該コンテンツにＩＤ４０の詳細情報が含まれていないと判断された場合（ステップＳ１３０１；ＮＯ）、処理は終了する。
【００８９】
当該コンテンツにＩＤ４０の詳細情報が含まれていると判断された場合（ステップＳ１３０１；ＹＥＳ）、カウンタ変数Ｎに１が代入される（ステップＳ１３０２）。次いで、ＩＤ４０の詳細情報Ｎにデータが格納されているか否かが判断される（ステップＳ１３０３）。ＩＤ４０の詳細情報Ｎにデータが格納されていると判断された場合（ステップＳ１３０３；ＹＥＳ）、当該詳細情報Ｎの情報内容フラグが参照され、当該情報内容フラグが情報コードを示しているか否かが判断される（ステップＳ１３０４）。情報内容フラグが情報コードを示していると判断された場合（ステップＳ１３０４；ＹＥＳ）、当該詳細情報Ｎの詳細情報データに格納された情報コードに対応する遷移先のコンテンツが存在するか否かが判断される（ステップＳ１３０５）。具体的には、記憶部１ｆに保存されているコンテンツのＩＤ０２の情報コードが検索され、一致したコンテンツが存在するか否かによって判断が行われる。
【００９０】
詳細情報Ｎの詳細情報データに格納された情報コードに対応する遷移先のコンテンツが存在すると判断された場合（ステップＳ１３０５；ＹＥＳ）、表示部１ｅにおいては、コンテンツ表示画面Ｇ３のＮ行に詳細情報Ｎの表示用文字データでボタンが描画される（ステップＳ１３０６）。
【００９１】
図１４（ａ）に、詳細情報表示処理Ｂが実行された場合におけるコンテンツ表示画面Ｇ３の一例を示す。コンテンツ表示画面Ｇ３は画面遷移表示欄Ｇｆ１〜Ｇｆ８、画面遷移入力欄Ｇｇ１〜Ｇｇ８、画面遷移ボタンＧｈ１〜Ｇｈ８等から構成される。
画面遷移表示欄Ｇａ１〜Ｇａ８及び画面遷移入力欄Ｇｇ１〜Ｇｇ８は、コンテンツ表示画面Ｇ１と同様であるので説明を省略する。画面遷移ボタンＧｈ１〜Ｇｈ８は、詳細情報表示処理Ｂによって描画されるボタンである。図１４（ａ）に示す例では、画面遷移ボタンＧｈ１〜Ｇｈ３はステップＳ１３６によって描画されたボタンである。
コンテンツ表示画面Ｇ１と同様、ＩＤ１０の対象地点に格納された静止画データ（画面遷移表示欄Ｇｆ１〜Ｇｆ８）に重畳させて、画面遷移入力欄Ｇｇ１〜Ｇｇ８、画面遷移ボタンＧｈ１〜Ｇｈ８が車載器１０の制御部４によって描画されて表示されることになる。
【００９２】
詳細情報Ｎの詳細情報データに格納された情報コードに対応する遷移先のコンテンツが存在しないと判断された場合（ステップＳ１３０５；ＮＯ）、表示部１ｅのＮ行のボタンがグレーアウトして表示される（ステップＳ１３０７）。当該グレーアウトして表示されたボタンに対する入力部１ｄからの入力は受け付けられないこととなる。第１の実施の形態と同様、遷移先のコンテンツが存在しない場合は、「エラー」や「リンク先無し」等の文字を詳細情報表示画面Ｇ２に表示させてもよい。
【００９３】
一方、詳細情報Ｎにデータが格納されていないと判断された場合（ステップＳ１３０３；ＮＯ）、情報内容フラグが情報コードを示していないと判断された場合（ステップＳ１３０４；ＮＯ）、処理はステップＳ１３０８に移行する。
次いでカウンタ変数Ｎが加算され（ステップＳ１３０８）、当該カウンタ変数Ｎが８よりも大きいか否かが判断される（ステップＳ１３０９）。カウンタ変数Ｎが８よりも大きくないと判断された場合（ステップＳ１３０９；ＮＯ）、ステップＳ１３０３に戻る。カウンタ変数Ｎが８よりも大きいと判断された場合（ステップＳ１３０９；ＹＥＳ）、処理は終了する。
【００９４】
以上のように、本実施の形態においては、詳細情報表示処理Ｂによってコンテンツ表示画面Ｇ３が表示される。画面遷移ボタンＧｈ１〜Ｇｈ８のうち、表示用文字データが重畳表示されている画面遷移ボタン（図１４（ａ）の例の場合、画面遷移ボタンＧｈ１〜Ｇｈ３）が入力部１ｃより押下されると、当該画面遷移ボタンに対応する情報コードを持つコンテンツを表示するコンテンツ表示画面Ｇ４に画面遷移することができる。
【００９５】
図１４（ｂ）に、コンテンツ表示画面Ｇ４の一例を示す。図１４（ｂ）に示す例では、コンテンツ表示画面Ｇ３に表示された画面遷移ボタンＧｈ３が入力部１ｃより押下され、コンテンツ表示画面Ｇ３に表示されているコンテンツのＩＤ４０の詳細情報３の詳細情報データに格納されている情報コードに対応するコンテンツが表示されている。当該コンテンツには遷移先がないため、ＩＤ１０の対象地点の静止画に重畳させ、画面遷移入力欄に該当する部分はグレーアウトされて表示されることになる。
このように、コンテンツ表示画面Ｇ３に画面遷移ボタンＧｈ１〜Ｇｈ８を表示させることにより、車載器１０のユーザの操作性がさらに向上する。
【００９６】
その他、本発明が上記実施形態に限定されず、適宜変更可能であるのは勿論である。
【図面の簡単な説明】
【００９７】
【図１】本実施形態における配信システムを示す図である。
【図２】図１の路側無線装置の路側エリアを説明する図である。
【図３】図１の車載器の機能的構成を示す図である。
【図４】センター装置の機能的構成を示す図である。
【図５】コンテンツのデータ構造の一例を示す図である。
【図６】コンテンツのデータ形式の一例を示す図である。
【図７】コンテンツに基づき、表示される画面遷移例である。
【図８】図６のコンテンツの詳細情報のデータ形式の一例を詳細に示す図である。
【図９】本実施の形態における配信システムにおける処理の流れを説明する図である。
【図１０】本実施の形態における配信システムにおける処理の流れを説明する図である。
【図１１】図３の表示部に表示される画面の一例であり、（ａ）は詳細情報表示処理が実行された時の画面例であり、（ｂ）は詳細情報ボタンが押下された時の画面例である。
【図１２】本実施の形態における詳細情報表示処理の流れを説明する図である。
【図１３】第２の実施の形態における詳細情報表示処理Ｂの流れを説明する図である。
【図１４】図３の表示部に表示される画面の一例であり、（ａ）はコンテンツを表示させた際に詳細情報表示処理Ｂが実行された時の画面例であり、（ｂ）は詳細情報表示処理Ｂによって表示されたボタンを押下した時の画面例である。
【符号の説明】
【００９８】
１００  配信システム
１０  車載器
１  カーナビ部
１ｄ  入力部
１ｅ  表示部
１ｆ  記憶部
３  ＤＳＲＣ部
３ａ  ＤＳＲＣ制御部
３ｂ  通信部
３ｃ  記憶部
Ｍ  アップリンク情報記憶領域
４  制御部
２０  路側無線装置
３０  センター装置
３１  制御部
３４  記憶部
【図１】
2009229138.tif 000003
【図２】
2009229138.tif 000004
【図３】
2009229138.tif 000005
【図４】
2009229138.tif 000006
【図５】
2009229138.tif 000007
【図６】
2009229138.tif 000008
【図７】
2009229138.tif 000009
【図８】
2009229138.tif 000010
【図９】
2009229138.tif 000011
【図１０】
2009229138.tif 000012
【図１１】
2009229138.tif 000013
【図１２】
2009229138.tif 000014
【図１３】
2009229138.tif 000015
【図１４】
2009229138.tif 000016